(57)【特許請求の範囲】
【請求項１】
クリンカホッパ内に溜まったクリンカを排出するアッシュゲートと、該アッシュゲートを開閉操作する圧力シリンダと、該圧力シリンダの開操作室へ作動水を供給する作動水供給機構を有するクリンカホッパアッシュゲートの開閉装置であって、前記圧力シリンダの開操作室に前記作動水より高圧な高圧水を作動水と切り替え可能に供給する高圧水供給機構を設けたクリンカホッパアッシュゲートの開閉装置。
【請求項２】
前記作動水供給機構が、リザーバタンクと該リザーバタンク内を加圧する加圧手段とからなる請求項１に記載のクリンカホッパアッシュゲートの開閉装置。
【請求項３】
前記高圧水供給機構が、前記作動水の供給系統に水圧ポンプを着脱自在に設けてなる請求項１又は２に記載のクリンカホッパアッシュゲートの開閉装置。
【請求項４】
前記作動水の供給系統にＴ字管部を設け、該Ｔ字管部に前記水圧ポンプを連結可能に設けてなる請求項３に記載のクリンカホッパアッシュゲートの開閉装置。
【請求項５】
前記水圧ポンプが０．８ＭＰａ以上の高圧水を供給するようにした請求項３又は４に記載のクリンカホッパアッシュゲートの開閉装置。
【発明の詳細な説明】
【技術分野】
【０００１】
本発明は、石炭火力発電所におけるクリンカホッパのアッシュゲートの開閉装置に関する。
【背景技術】
【０００２】
石炭火力発電所の石炭ボイラにおいては、微粉炭等の燃料の燃焼によって生成される灰が塊状となったクリンカが生じる。この石炭ボイラの底部には、落下したクリンカを水冷して貯留するクリンカホッパを設置してある。このクリンカホッパ内に水と一緒に貯留されたクリンカは、クリンカホッパの下部に設けたアッシュゲートを開閉操作して定期的（３回／日）に外部へ排出される。
【０００３】
従来、アッシュゲートの開閉装置は、図２に示すように、アッシュゲート２を開閉操作する圧力シリンダ３と、リザーバタンク出口弁８を介してリザーバタンク５から圧力シリンダ３の開操作室４ａへ作動水を供給する作動水供給機構とから構成されている。このアッシュゲートは、クリンカホッパ内に溜まったクリンカ塊に起因する開操作不良を生じる場合があった。
【０００４】
また、クリンカホッパのアッシュゲート装置としては、アッシュゲートの開閉方向と平行にガイドレールを配置し、該ガイドレールに沿って転動するようにローラをアッシュゲートに取り付け、このガイドレールとローラの間に洗浄水を噴射するスプレノズルを備えたものが知られている（例えば、特許文献１参照）。
【０００５】
【特許文献１】特開平６−３３１１２４号公報
【発明の開示】
【発明が解決しようとする課題】
【０００６】
従来、アッシュゲートの開操作不良対策として、オペレータが繰り返しアッシュゲートの開閉操作を行ったり、デレッキを使ってクリンカの塊を移動させたりしていた。しかし、アッシュゲートを開閉するための作動水供給機構にはバックアップ装置が無く、常用設備のみで対応していために、アッシュゲートの開操作不良が発生した場合にクリンカ処理を停滞させるという問題があった。クリンカ処理が長時間停滞すると、火炉のスートブロワが使用できず蒸発管に灰が付着するため、火炉収熱低下によるボイラ効率への影響や、節炭器出口ガス温度上昇による空気予熱器・脱硫装置への影響が懸念される。
【０００７】
また、特許文献１に記載のクリンカホッパのアッシュゲート装置は、ガイドレールとローラに付着したクリンカを洗浄水で洗い流すことにより、アッシュゲートの開閉を円滑に行うことができるようにしているが、既存のアッシュゲートを改造するとコスト高になると共に、洗浄が不十分で開操作不良が発生した場合の対応ができないという課題が残っていた。
【０００８】
そこで、本発明は、クリンカホッパのアッシュゲートにおいて、クリンカ塊に起因する開操作不良が発生した場合でも、迅速に対応して開操作することができるバックアップ装置を安価に提供するものである。
【課題を解決するための手段】
【０００９】
本発明は、上記課題を解決するために、クリンカホッパ内に溜まったクリンカを排出するアッシュゲートと、該アッシュゲートを開閉操作する圧力シリンダと、該圧力シリンダの開操作室へ作動水を供給する作動水供給機構を有するクリンカホッパアッシュゲートの開閉装置であって、前記圧力シリンダの開操作室に前記作動水より高圧な高圧水を作動水と切り替え可能に供給する高圧水供給機構を設けたクリンカホッパアッシュゲートの開閉装置を提供するものである。
【００１０】
また、本発明のクリンカホッパアッシュゲートの開閉装置は、前記作動水供給機構が、リザーバタンクと該リザーバタンク内を加圧する加圧手段とからなるものである。
【００１１】
また、本発明のクリンカホッパアッシュゲートの開閉装置は、前記高圧水供給機構が、前記作動水の供給系統に水圧ポンプを着脱自在に設けてなるものである。
【００１２】
また、本発明のクリンカホッパアッシュゲートの開閉装置は、前記作動水の供給系統にＴ字管部を設け、該Ｔ字管部に前記水圧ポンプを連結可能に設けてなるものである。
【００１３】
また、本発明のクリンカホッパアッシュゲートの開閉装置は、前記水圧ポンプが０．８ＭＰａ以上の高圧水を供給するようにしたものである。
【発明の効果】
【００１４】
本発明のクリンカホッパアッシュゲートの開閉装置は、クリンカホッパ内に溜まったクリンカを排出するアッシュゲートと、該アッシュゲートを開閉操作する圧力シリンダと、該圧力シリンダの開操作室へ作動水を供給する作動水供給機構を有するクリンカホッパアッシュゲートの開閉装置であって、前記圧力シリンダの開操作室に前記作動水より高圧な高圧水を作動水と切り替え可能に供給する高圧水供給機構を設けた構成を有することにより、通常時には圧力シリンダの開操作室に作動水を供給してアッシュゲートを開操作でき、クリンカホッパに溜まったクリンカを定期的に排出することができる。一方、クリンカの塊等によってアッシュゲートの開操作が不良となった時には、圧力シリンダの開操作室に高圧水を供給してアッシュゲートを強制的に開操作でき、クリンカ排出処理の停滞によるボイラ効率の低下や周辺機器への影響を防止することができる効果がある。
【００１５】
また、本発明のクリンカホッパアッシュゲートの開閉装置は、前記作動水供給機構が、リザーバタンクと該リザーバタンク内を加圧する加圧手段とからなることにより、圧力シリンダの駆動に汎用圧力源を利用して、アッシュゲートの開閉操作に要するエネルギーを低減することができる効果がある。
【００１６】
また、本発明のクリンカホッパアッシュゲートの開閉装置は、前記高圧水供給機構が、前記作動水の供給系統に水圧ポンプを着脱自在に設けたことにより、供給系統に水圧ポンプを着脱して連結して開操作することができる効果がある。
【００１７】
また、本発明のクリンカホッパアッシュゲートの開閉装置は、前記作動水の供給系統にＴ字管部を設け、該Ｔ字管部に前記水圧ポンプを連結可能に設けたことにより、作動水の供給系統のＴ字管部に水圧ポンプを容易に連結することができる効果がある。
【００１８】
また、本発明のクリンカホッパアッシュゲートの開閉装置は、前記水圧ポンプが０．８ＭＰａ以上の高圧水を供給するようにしたことにより、クリンカの塊等によってアッシュゲートの開操作が不良となった時でも、アッシュゲートを確実に開操作することができる効果がある。
【発明を実施するための最良の形態】
【００１９】
本発明の実施の形態を図示する実施例に基づいて説明する。
本発明に係るクリンカホッパアッシュゲートの開閉装置は、クリンカホッパ１内に溜まったクリンカを排出するアッシュゲート２と、該アッシュゲート２を開閉操作する圧力シリンダ３と、該圧力シリンダ３の開操作室４ａへ作動水を供給する作動水供給機構を有し、前記圧力シリンダ３の開操作室４ａに前記作動水より高圧な高圧水を作動水と切り替え可能に供給する高圧水供給機構を設けてある。
【実施例１】
【００２０】
図１の本発明装置において、１はボイラ底部に設けた水槽からなるクリンカホッパである。クリンカホッパ１は、ボイラ火炉から落下したクリンカを水冷して一定期間貯留した後、クリンカホッパ１の下部に設けたアッシュゲート２からクリンカを定期的に排出して、図示しない脱水槽へ送ることができるように構成してある。
【００２１】
アッシュゲート２は、ゲート口にスライド可能に設けたゲート本体２１を圧力シリンダ３で開閉操作することができるように構成してある。圧力シリンダ３は、シリンダ３１と、該シリンダ３１内に往復摺動自在に嵌合したピストン３２と、該ピストン３２の駆動力をゲート本体２１に伝達するロッド３３とからなる。シリンダ３１内のピストン３２で仕切られた開操作室４ａには、供給系統６を介してリザーバタンク５を接続してある。供給系統６にはリザーバタンク出口弁８を設けてあり、リザーバタンク５から作動水を開操作室４ａに供給することにより、アッシュゲート２を開操作することができるようにしてある。
【００２２】
リザーバタンク５及び閉操作室４ｂには、所内にある圧縮エア供給装置を接続してある。リザーバタンク５は、圧縮エアにより加圧され、開操作室４ａに作動水である圧力水を供給することができるようにして、作動水供給機構を構成してある。また、閉操作室４ｂ内の圧縮エアは、電磁切替弁３４を介して大気に排出される。圧縮エア供給装置は、電磁切替弁３４を介して閉操作室４ｂに圧縮エアを供給してアッシュゲート２を閉操作することができるようにしてある。その時、開操作室４ａ内の作動水は供給系統６を介してリザーバタンクへ戻される。
【００２３】
図１に示す実施例において、供給系統６には、リザーバタンク出口弁８と開操作室４ａの間にＴ字管部１０を配置してある。Ｔ字管部１０の突出管部には、水圧ポンプ出口弁１１と接続部材１２を設けてあり、水圧ポンプ１３の高圧ホース１４を着脱自在に連結することができるように構成してある。なお、Ｔ字管部１０と高圧ホース１４とを接続する接続部材１２の構造は、従来公知の種々のタイプの管接続機構を適宜に採用することができることは勿論である。
【００２４】
水圧ポンプ１３は、リザーバタンク５から供給される作動水より高圧な高圧水を開操作室４ａに供給することができ、高圧水供給機構を構成してある。水圧ポンプ１３は、アッシュゲート２を確実に開操作することができるから、０．８ＭＰａ以上の高圧水を供給するようにしてあることが好ましく、実施例では１．０ＭＰａの高圧水を供給することができるようにしてある。
【００２５】
また、水圧ポンプ１３は、図示のように移動可能で水源を備えた仮設ポンプを使用することも可能である。
【００２６】
上記実施例の構成において、通常操作時には、Ｔ字管部１０の水圧ポンプ出口弁１１を閉じ、供給系統６のリザーバタンク出口弁８を開き、圧力シリンダ３を操作してアッシュゲート２を開放することができる。このとき、クリンカの塊等によってクリンカホッパ１のアッシュゲート２の開操作が不良となった場合には、オペレータが直ちに水圧ポンプ１３の高圧ホース１４をＴ字管部１０の管接続部材１２に接続し、供給系統６のリザーバタンク出口弁８を閉鎖して、Ｔ字管部１０の水圧ポンプ出口弁１１を開いて、作動水から高圧水への切り替えを行うことができる。次に、水圧ポンプ１３を起動して高圧ホース１４から高圧水を圧力シリンダ３の開操作室４ａに送り込み、アッシュゲート２を強力に開けることができる。
【００２７】
処置完了後は、水圧ポンプ１３を停止してＴ字管部１０の水圧ポンプ出口弁１１を閉じることにより、供給系統６のリザーバタンク出口弁８を開けて通常の操作に戻ることができる。
【図面の簡単な説明】
【００２８】
【図１】本発明装置の一実施例の概略説明図。
【図２】従来装置の概略説明図。
【符号の説明】
【００２９】
１      クリンカホッパ
２      アッシュゲート
３      圧力シリンダ
４ａ    開操作室
４ｂ    閉操作室
５      リザーバタンク
６      供給系統
７      直管部
８      リザーバタンク出口弁
１０    Ｔ字管部
１１    水圧ポンプ出口弁
１２    管接続部材
１３    水圧ポンプ
１４    高圧ホース
２１    ゲート本体
３１    シリンダ
３２    ピストン
３３    ロッド
３４    電磁切替弁
【図１】
0004850160.tif 000002
【図２】
0004850160.tif 000003